(57)【要約】【課題】非常時に、電気特性の異なる蛍光ランプを一定のランプ電力で点灯することのできる非常灯点灯装置および照明器具を提供する。【解決手段】非常灯点灯装置１は、放電ランプ用点灯回路２によって点灯している蛍光ランプ１１のランプ電圧またはランプ電力を検出するランプ特性検出回路６と、当該ランプ電圧またはランプ電力を記憶する記憶部１２と、バッテリ１４３と、非常時に記憶部１２に記憶されたランプ電圧またはランプ電力に応じてバッテリ１４からの直流電圧を高周波電圧に変換して出力し、予め設定されたランプ電力で前記蛍光ランプ１１を点灯させる非常用点灯回路３とを具備する。【選択図】図１
2006092964.tif 000002
【特許請求の範囲】
【請求項１】
商用交流電源からの交流電圧を直流電圧に変換し、この直流電圧を高周波電圧に変換して出力する放電ランプ用点灯回路と；
放電ランプ用点灯回路から出力された高周波電圧が印加されて点灯する蛍光ランプと；
放電ランプ用点灯回路によって点灯している蛍光ランプのランプ電圧またはランプ電力を検出するランプ特性検出回路と；
ランプ特性検出回路により検出されたランプ電圧またはランプ電力を記憶する記憶部と；
商用交流電源により充電されるバッテリと；
非常時に前記蛍光ランプに接続されるとともに、記憶部に記憶されたランプ電圧またはランプ電力に応じてバッテリからの直流電圧を高周波電圧に変換して出力し、予め設定されたランプ電力で前記蛍光ランプを点灯させる非常用点灯回路と；
を具備していることを特徴とする非常灯点灯装置。
【請求項２】
請求項１記載の非常灯点灯装置と；
非常灯点灯装置を配設している照明器具本体と；
を具備していることを特徴とする照明器具。
【発明の詳細な説明】
【技術分野】
【０００１】
本発明は、非常時にバッテリから給電されて蛍光ランプを点灯する非常灯点灯装置および照明器具に関する。
【背景技術】
【０００２】
非常用照明器具は、商用交流電源の停電時に、非常用のバッテリでランプが規定時間にわたって正常に点灯することが要求されるものである。一方、近年、電気特性の異なる放電ランプを点灯することのできる非常灯用点灯装置を具備する非常用照明器具が提案されている。
【０００３】
そして、電気特性の異なる放電ランプに対して、停電時にバッテリの放電電流を検出し、この放電電流が予め定めた基準値となるようにインバータを制御して規定の明るさと時間を保つようにしている非常用照明装置が提案されている（例えば、特許文献１参照。）。
【０００４】
また、非常点灯時に、非常用点灯装置への入力電流の相違により蛍光ランプの種別の検出を行い、蛍光ランプからの光出力（光束）が予め設定された設定値となるように、蛍光ランプのランプ電流を調整する非常灯用点灯装置が提案されている（例えば、特許文献２参照。）。
【特許文献１】特開２００１−２８４０６７号公報（第４−５頁、第２図）
【特許文献２】特開平８−２２２３８８号公報（第２頁、第１図）
【発明の開示】
【発明が解決しようとする課題】
【０００５】
特許文献１の非常用照明装置は、バッテリの放電電流を基準値となるようにするので、電気特性の異なる放電ランプに対してランプ電力がそれぞれ異なり、明るさが異なるものである。
【０００６】
また、特許文献２の非常用点灯装置は、入力電流の相違によりリレーを用いてバラストコンデンサを切り換え、ランプ電流が一定となるように制御しているので、蛍光ランプの種別が多くなるにしたがいリレーおよびバラストコンデンサも増加して非常用点灯装置の構成が複雑となり、高価になるという欠点を有する。また、ランプ電流が略同一であってランプ電力の異なる蛍光ランプに対しては、それぞれの蛍光ランプからの光束が異なるという欠点を有する。
【０００７】
本発明は、非常時に、電気特性の異なる蛍光ランプを一定のランプ電力で点灯することのできる非常灯点灯装置および照明器具を提供することを目的とする。
【課題を解決するための手段】
【０００８】
請求項１に記載の非常灯点灯装置の発明は、商用交流電源からの交流電圧を直流電圧に変換し、この直流電圧を高周波電圧に変換して出力する放電ランプ用点灯回路と；放電ランプ用点灯回路から出力された高周波電圧が印加されて点灯する蛍光ランプと；放電ランプ用点灯回路によって点灯している蛍光ランプのランプ電圧またはランプ電力を検出するランプ特性検出回路と；ランプ特性検出回路により検出されたランプ電圧またはランプ電力を記憶する記憶部と；商用交流電源により充電されるバッテリと；非常時に前記蛍光ランプに接続されるとともに、記憶部に記憶されたランプ電圧またはランプ電力に応じてバッテリからの直流電圧を高周波電圧に変換して出力し、予め設定されたランプ電力で前記蛍光ランプを点灯させる非常用点灯回路と；を具備していることを特徴とする。
【０００９】
本発明および以下の発明において、特に言及しない限り、各構成は以下による。
【００１０】
放電ランプ用点灯回路および非常用点灯回路は、単一の蛍光ランプを点灯するものであってもよく、異なるランプ特性の蛍光ランプを点灯可能に構成されていてもよい。
【００１１】
「非常時に」とは、商用交流電源の停電など、放電ランプ用点灯回路が給電されないときにという意味である。
【００１２】
バッテリは、商用交流電源の交流電圧を直流電圧に変換した直流電圧により充電される。例えば、バッテリは、充電回路で充電される。充電回路は、商用交流電源の交流電圧を直流電圧に変換し、バッテリを充電する電圧に直流電圧を調整するように構成されている。
【００１３】
本発明によれば、非常用点灯回路は、非常時に、放電ランプ点灯回路によって通常点灯している蛍光ランプのランプ電圧またはランプ電力に応じて高周波電圧の出力を調整し、ランプ特性の異なる蛍光ランプの種類に関わらず、蛍光ランプを予め設定されたランプ電力で点灯させる。
【００１４】
請求項２に記載の照明器具の発明は、請求項１記載の非常灯点灯装置と；非常灯点灯装置を配設している照明器具本体と；を具備していることを特徴とする。
【００１５】
本発明によれば、非常点灯時に、異なるランプ特性を有する蛍光ランプが一定のランプ電力で点灯する照明器具が提供される。
【発明の効果】
【００１６】
請求項１の発明によれば、非常用点灯回路は、非常時に、蛍光ランプを予め設定されたランプ電力で点灯させるので、ランプ特性の異なる蛍光ランプの種類に関わらず、蛍光ランプから放射される光束を一定にすることができる。
【００１７】
請求項２の発明によれば、非常時に、ランプ特性の異なる蛍光ランプに関わらず、一定の明るさで照明する照明器具を提供することができる。
【発明を実施するための最良の形態】
【００１８】
以下、本発明の一実施の形態について、図面を参照して説明する。まず、本発明の第１の実施形態について説明する。
【００１９】
図１は、本発明の第１の実施形態を示す非常灯点灯装置の回路図である。
【００２０】
非常灯点灯装置１は、商用交流電源Ｖｓに接続される放電ランプ用点灯回路２および非常用点灯回路３を有して構成されている。
【００２１】
放電ランプ用点灯回路２は、直流電圧発生回路４、インバータ回路５およびランプ特性検出回路６などを有して構成されている。
【００２２】
直流電圧発生回路４は、整流装置７および平滑用コンデンサＣ１を有して構成され、整流装置７の入力端子が壁スイッチ８を介して商用交流電源Ｖｓに接続され、整流装置７の出力端子間に平滑用コンデンサＣ１が接続されている。直流電圧発生回路４は、商用交流電源Ｖｓからの交流電圧を整流、平滑して直流電圧に変換している。直流電圧は、平滑用コンデンサＣ１の両端間に発生している。
【００２３】
インバータ回路５は、電界効果トランジスタＦＥＴ１，ＦＥＴ２の直列回路および駆動回路９を有して構成されている。そして、電界効果トランジスタＦＥＴ１，ＦＥＴ２の直列回路の両端が平滑用コンデンサＣ１の両端間に接続され、直流電圧を入力している。駆動回路９は、電界効果トランジスタＦＥＴ１，ＦＥＴ２のそれぞれのゲート（制御端子）に接続され、さらに、制御回路１０に接続されている。駆動回路９は、制御回路１０からの制御信号に応じて所定の周波数で駆動電圧を出力し、電界効果トランジスタＦＥＴ１，ＦＥＴ２を交互にオンオフ動作させる。これにより、直流電圧発生回路４から出力された直流電圧は、高周波電圧に変換されて、電界効果トランジスタＦＥＴ２のドレインおよびソース間に出力される。
【００２４】
電界効果トランジスタＦＥＴ２のドレインおよびソース間には、インダクタＬ１、直流カット用コンデンサＣ２、リレーＸ１、蛍光ランプ１１およびリレーＸ２の直列回路が接続されている。そして、蛍光ランプ１１のフィラメント電極１１ａ，１１ｂの非電源側には、リレーＸ３、始動用コンデンサＣ３およびリレーＸ４の直列回路が接続されている。
【００２５】
そして、蛍光ランプ１１のフィラメント電極１１ａの電源側は、リレーＸ１の共通接点Ｘ１ｃに接続され、非電源側は、リレーＸ３の共通接点Ｘ３ｃに接続されている。また、蛍光ランプ１１のフィラメント電極１１ｂの電源側は、リレーＸ２の共通接点Ｘ２ｃに接続され、非電源側は、リレーＸ４の共通接点Ｘ４ｃに接続されている。
【００２６】
そして、リレーＸ１の常開接点Ｘ１ａは、直流カット用コンデンサＣ２に接続され、リレーＸ２の常開接点Ｘ２ａは、電界効果トランジスタＦＥＴ２のソースに接続されている。また、リレーＸ３の常開接点Ｘ３ａは、始動用コンデンサＣ３の一端側に接続され、リレーＸ４の常開接点Ｘ４ａは、始動用コンデンサＣ３の他端側に接続されている。
【００２７】
上記リレーＸ１〜リレーＸ４は、他のリレーＸ５とともに、それらのリレーコイルＸ１ｄ〜Ｘ５ｄが商用交流電源Ｖｓに直接的に接続されている。そして、商用交流電源Ｖｓの非停電時（通常時）、リレーコイルＸ１ｄ〜Ｘ５ｄは付勢している。したがって、リレーＸ１〜Ｘ４の接片Ｘ１ｓ〜Ｘ４ｓは、それぞれ共通接点Ｘ１ｃ〜Ｘ４ｃおよび常開接点Ｘ１ａ〜Ｘ４ａを接続している。すなわち、商用交流電源Ｖｓの非停電時、蛍光ランプ１１は、インダクタＬ１および直流カット用コンデンサＣ２を介してインバータ回路５の出力側（電界効果トランジスタＦＥＴ２のドレインおよびソース間）に接続され、フィラメント電極１１ａ，１１ｂ間に始動用コンデンサＣ３が接続される。
【００２８】
インバータ回路５から出力された高周波電圧は、インダクタＬ１、高周波カット用コンデンサＣ２および始動用コンデンサＣ３の共振により、予熱、始動および点灯の共振電圧に変換されて、蛍光ランプ１１のフィラメント電極１１ａ，１１ｂ間に印加される。これにより、蛍光ランプ１１は、予熱され、始動電圧が印加されて点灯する。
【００２９】
そして、制御回路１０は、蛍光ランプ１１に流れるランプ電流が略一定となるように、電界効果トランジスタＦＥＴ１，ＦＥＴ２のスイッチング周波数を制御する制御信号を駆動回路９に出力するように構成されている。例えば、制御回路１０は、ランプ電流が約０．３Ａとなるように前記スイッチング周波数を制御している。これにより、蛍光ランプ１１として、例えばコンパクト形蛍光ランプ、形名ＦＨＴ２４、ＦＨＴ３２、ＦＨＴ４２のいずれかを用いることができる。形名ＦＨＴ２４の定格ランプ電力、ランプ電流、ランプ電流は、それぞれ２４Ｗ、０．３Ａ、８０Ｖであり、同じく、形名ＦＨＴ３２は、３２Ｗ、０．３２Ａ、１００Ｖであり、同じく、形名ＦＨＴ４２は、４２Ｗ、０．３２Ａ、１３５Ｖである。形名ＦＨＴ２４、ＦＨＴ３２、ＦＨＴ４２のコンパクト形蛍光ランプは、ランプ特性（電気特性）の異なる種類のものであるが、同一の放電ランプ用点灯回路２で高周波点灯される。
【００３０】
なお、制御回路１０は、動作電源として、例えば直流電圧発生回路４から出力された直流電圧が調整されて入力され、あるいは、図示しない他の直流電圧源から直流電圧を入力している。制御回路１０は、動作電源の直流電圧が入力されることにより動作する。
【００３１】
ランプ特性検出回路６は、リレーＸ１の常開接点Ｘ１ａおよびリレーＸ２の常開接点Ｘ２ａの間に接続された抵抗Ｒ１および抵抗Ｒ２の直列回路、抵抗Ｒ２の両端間に接続された平滑用のコンデンサＣ４および整流用のダイオードＤ１の直列回路、コンデンサＣ４およびダイオードＤ１の中点Ａ１と後述する記憶部１２に接続されている逆流防止用のダイオードＤ２を有して構成されている。
【００３２】
抵抗Ｒ１および抵抗Ｒ２の直列回路は、リレーＸ１の常開接点Ｘ１ａおよびリレーＸ２の常開接点Ｘ２ａの間に接続されているので、ランプ特性検出回路６は、放電ランプ点灯回路２によって点灯している蛍光ランプ１１のランプ特性（ランプ電圧）を検出する。蛍光ランプ１１のランプ電圧は、抵抗Ｒ１および抵抗Ｒ２により分圧され、抵抗Ｒ２の両端間電圧が整流、平滑されて記憶部１２に入力される。例えば、蛍光ランプ１１が形名ＦＨＴ２４のコンパクト形蛍光ランプのとき、８０Ｖが記憶部１２に入力される（実際は、ランプ電圧８０Ｖに相関する電圧が入力される。以下、同様。）。同じく、形名ＦＨＴ３２、ＦＨＴ４２のとき、それぞれランプ電圧１００Ｖ、１３５Ｖが記憶部１２に入力される。
【００３３】
そして、非常用点灯回路３は、記憶部１２、充電回路１３、バッテリ１４、インバータ回路１５および制御回路１６を有して構成されている。
【００３４】
充電回路１３は、商用交流電源Ｖｓに直接的に接続され、交流電圧を直流電圧に変換するとともに、バッテリ１４を充電する直流電圧に調整してバッテリ１４を充電するように構成されている。
【００３５】
バッテリ１４は、充電回路１３により充電される。すなわち、商用交流電源Ｖｓの非停電時に、充電回路１３を介して商用交流電源Ｖｓにより充電される。そして、バッテリ１３は、非常用点灯回路３による蛍光ランプ１１の点灯において、少なくとも消防法などで規定された照度（明るさ）およびその時間を維持することのできる容量に予め設定されている。
【００３６】
記憶部１２は、放電ランプ用点灯回路２の制御回路１０に接続されている。そして、記憶部１２は、動作電源を充電回路１３またはバッテリ１４あるいは他の図示しない直流電源部から入力することにより動作している。記憶部１２は、上述したように、放電ランプ用点灯回路２のランプ特性検出回路６が検出した蛍光ランプ１１のランプ電圧を記憶するように形成されている。ここで、ランプ特性検出回路６から常時ランプ電圧を入力しているが、放電ランプ用点灯回路２の制御回路１０が動作しているとき、すなわち、蛍光ランプ１１が点灯しているときのランプ電圧を、記憶しているランプ電圧に上書きするようにして記憶するように形成されている。また、商用交流電源Ｖｓの停電時に、記憶しているランプ電圧が消去しないように不揮発性に形成されている。
【００３７】
インバータ回路１５は、バイポーラトランジスタＴｒ１，Ｔｒ２、インバータトランスＴＦ１および定電流調整用のインダクタＬ２を有してプッシュプル回路で構成されている。すなわち、インバータトランスＴＦ１の一次巻線ＴＦ１ａの一端とトランジスタＴｒ１のコレクタが接続され、一次巻線ＴＦ１ａの他端とトランジスタＴｒ２のコレクタが接続され、トランジスタＴｒ１，Ｔｒ２のエミッタ同士が接続されている。そして、インバータトランスＴＦ１の一次巻線ＴＦ１ａの中間タップＡ２が直列接続されたインダクタＬ２およびリレーＸ５の常閉接点Ｘ５ｂ，Ｘ５ｂを介してバッテリ１４の正極側に接続され、トランジスタＴｒ２のエミッタがバッテリ１４の負極側に接続されている。そして、トランジスタＴｒ１，Ｔｒ２のそれぞれのベースが制御回路１６に接続されている。
【００３８】
そして、インバータトランスＴＦ１の二次巻線ＴＦ１ｂの一端は、限流用コンデンサＣ５を介してリレーＸ１の常閉接点Ｘ１ｂに接続され、他端はリレーＸ２の常閉接点Ｘ２ｂに接続されている。
【００３９】
また、インバータトランスＴＦ１には、フィラメント巻線ＴＦ１ｃ，ＴＦ１ｄが設けられている。フィラメント巻線ＴＦ１ｃの一端は、リレーＸ２の常閉接点Ｘ２ｂに接続され、他端はリレーＸ４の常閉接点Ｘ４ｂに接続されている。そして、フィラメント巻線ＴＦ１ｄの一端は、リレーＸ３の常閉接点Ｘ３ｂに接続され、他端はリレーＸ１の常閉接点Ｘ１ｂに接続されている。
【００４０】
商用交流電源Ｖｓの非停電時、リレーＸ１〜Ｘ５のリレーコイルＸ１ｄ〜Ｘ５ｄは付勢されているので、上述したように、蛍光ランプ１１は、放電ランプ用点灯回路２に接続されている。また、リレーＸ５の常閉接点Ｘ５ｂが開放されるので、バッテリ１４の正極側は、インバータトランスＴＦ１の一次巻線ＴＦ１ａの中間タップＡ２に接続されない。また、制御回路１６は、例えば、リレー接点Ｘ５ｂを介してバッテリ１４から動作電源を供給して動作するようにしている。したがって、商用交流電源Ｖｓの非停電時、制御回路１６は動作せず、インバータ回路１５はバッテリ１４から給電されず、蛍光ランプ１１は非常用点灯回路３に接続されない。しかし、バッテリ１４は、商用交流電源Ｖｓから給電される充電回路１３により充電されている。
【００４１】
そして、商用交流電源Ｖｓが停電すると、リレーＸ１〜Ｘ５のリレーコイルＸ１ｄ〜Ｘ５ｄは消勢する。これにより、リレーＸ１〜Ｘ４の接片Ｘ１ｓ〜Ｘ４ｓが常開接点Ｘ１ａ〜Ｘ４ａから常閉接点Ｘ１ｂ〜Ｘ４ｂに接続され、インバータトランスＴＦ１の二次巻線ＴＦ１ｂの両端が限流用コンデンサＣ５を介して蛍光ランプ１１のフィラメント電極１１ａ，１１ｂの電源側に接続され、インバータトランスＴＦ１のフィラメント巻線ＴＦ１ｃの両端がフィラメント電極１１ｂの両端に接続され、フィラメント巻線ＴＦ１ｄの両端がフィラメント電極１１ａの両端に接続される。すなわち、蛍光ランプ１１は、放電ランプ用点灯回路２から非常用点灯回路３に接続される。
【００４２】
また、リレーＸ５の常閉接点Ｘ５ｂが閉じられる。これにより、バッテリ１４はインバータ回路１５に接続され、制御回路１６はバッテリ１４から動作電源が供給されて動作する。バッテリ１４は、商用交流電源Ｖｓの停電により、充電されなくなる。
【００４３】
制御回路１６は、ＣＰＵ、プログラムが格納されたＲＯＭおよび各種データが格納されたＲＡＭなどを有して構成されている。そして、バッテリ１４から動作電源が供給されて動作すると、プログラムに応じて、一対のトランジスタＴｒ１，Ｔｒ２を所定の周波数で交互にオンオフ動作させる。このオンオフ動作により、バッテリ１４からの直流電圧は、インバータ回路１５により高周波電圧に変換されて出力される。すなわち、インバータトランスＴＦ１のフィラメント巻線ＴＦ１ｃ，ＴＦ１ｄのそれぞれの両端間に予熱用の高周波電圧が発生し、蛍光ランプ１１のフィラメント電極１１ａ，１１ｂのそれぞれの両端間に印加してフィラメント電極１１ａ，１１ｂを予熱する。また、インバータトランスＴＦ１の二次巻線ＴＦ１ｂの両端間に点灯用の高周波電圧が発生し、蛍光ランプ１１のフィラメント電極１１ａ，１１ｂ間に印加して蛍光ランプ１１を点灯させる。
【００４４】
また、制御回路１６は、記憶部１２に接続されており、記憶部１２に記憶されている蛍光ランプ１１のランプ電圧を読み込むように構成されている。そして、当該ランプ電圧とトランジスタＴｒ１，Ｔｒ２を交互にオンオフさせるスイッチング周波数は、プログラムあるいはＲＡＭで対応付けられており、制御回路１６は、記憶部１２から読み出したランプ電圧に応じたスイッチング周波数でトランジスタＴｒ１，Ｔｒ２を交互にオンオフする。これにより、異なるランプ特性を有する蛍光ランプ１１であっても、蛍光ランプ１１のランプ電力が一定に制御される。すなわち、非常時に点灯されるランプ電力がプログラムあるいはＲＡＭで予め設定されている。
【００４５】
次に、本発明の第１の実施形態の作用について述べる。
【００４６】
商用交流電源Ｖｓの非停電時（通常時）、バッテリ１４は、充電回路１３により充電されている。また、リレーＸ１〜Ｘ５のリレーコイルＸ１ｄ〜Ｘ５ｄが付勢されるので、蛍光ランプ１１は、放電ランプ用点灯回路２に接続され、バッテリ１４は、非常用点灯回路３から遮断され、制御回路１６も不動作状態となっている。そして、記憶部１２は、例えば充電回路１３から給電されて動作している。
【００４７】
壁スイッチ８をオフすると、放電ランプ用点灯回路２は、商用交流電源Ｖｓに接続されなくなるので、蛍光ランプ１１は消灯する。ここで、リレーＸ１〜Ｘ５のリレーコイルＸ１ｄ〜Ｘ５ｄは付勢しているので、蛍光ランプ１１は、放電ランプ用点灯回路２に接続された状態であり、バッテリ１４は、非常用点灯回路３から遮断された状態を継続する。
【００４８】
壁スイッチ８をオンすると、放電ランプ用点灯回路２は、商用交流電源Ｖｓに接続され、直流電圧発生回路４が直流電圧を発生するので、制御回路１０が動作する。そして、制御回路１０がインバータ回路５の電界効果トランジスタＦＥＴ１，ＦＥＴ２を交互にオンオフ動作させることにより、放電ランプ用点灯回路２から高周波電圧が出力され、蛍光ランプ１１のフィラメント電極１１ａ，１１ｂ間に印加されて、蛍光ランプ１１が点灯する。
【００４９】
そして、制御回路１０は、蛍光ランプ１１に流れるランプ電流が定電流、例えば約０．３Ａとなるように、電界効果トランジスタＦＥＴ１，ＦＥＴ２のオンオフ動作を制御する。したがって、蛍光ランプ１１として、放電ランプ用点灯回路２により始動され、点灯状態を維持可能であってランプ電流が約０．３Ａのランプ特性（電気特性）を有する蛍光ランプを用いることができる。例えば、ランプ特性の異なる形名ＦＨＴ２４、ＦＨＴ３２、ＦＨＴ４２のコンパクト形蛍光ランプが放電ランプ用点灯回路２に接続される。そして、蛍光ランプ１１からランプ電力に応じた光束が放射され、照明エリアを照明する。蛍光ランプ１１は、放電ランプ用点灯回路２により、一般照明用（通常点灯用）として点灯される。
【００５０】
蛍光ランプ１１のランプ電圧は、常時、ランプ特性検出回路６により検出され、記憶部１２に入力されている。記憶部１２は、制御回路１０の動作状態から蛍光ランプ１１が点灯していることを判断し、入力されたランプ電圧のうち、点灯している蛍光ランプ１１のランプ電圧を記憶する。例えば、形名ＦＨＴ２４、ＦＨＴ３２、ＦＨＴ４２の蛍光ランプ１１に対して、記憶部１２に８０Ｖ，１００Ｖ，１３５Ｖが記憶される。
【００５１】
そして、壁スイッチ８がオンされ、放電ランプ用点灯回路２によって蛍光ランプ１１が点灯しているときに、商用交流電源Ｖｓが停電すると、放電ランプ用点灯回路２は、商用交流電源Ｖｓから交流電圧が入力されなくなるので、制御回路１０などの動作が停止する。これにより、蛍光ランプ１１は消灯する。また、充電回路１３に商用交流電源Ｖｓから交流電圧が入力されなくなることにより、バッテリ１４は、充電されなくなる。
【００５２】
そして、リレーＸ１〜Ｘ５のリレーコイルＸ１ｄ〜Ｘ５ｄが消勢されるので、蛍光ランプ１１およびバッテリ１４は、非常用点灯回路３に接続される。制御回路１６は、例えばバッテリから給電されて動作する。制御回路１６は、記憶部１２に記憶されているランプ電圧を読み出し、プログラムあるいはＲＡＭで予め対応付けされている当該ランプ電圧のスイッチング周波数でトランジスタＴｒ１，Ｔｒ２を交互にオンオフ動作させる。インバータ回路１５から当該スイッチング周波数に応じた高周波電圧が出力され、蛍光ランプ１１のフィラメント電極１１ａ，１１ｂ間に印加される。これにより、蛍光ランプ１１は、予め設定されたランプ電力、例えば１０Ｗで点灯される。
【００５３】
記憶部１２に、例えばランプ電圧８０Ｖ，１００Ｖ，１３５Ｖが記憶されていると、蛍光ランプ１１の種類は、それぞれ形名ＦＨＴ２４，形名ＦＨＴ２４，形名ＦＥＴ３２のコンパクト形蛍光ランプである。そして、非常用点灯回路３により、予め設定されたランプ電力、例えば１０Ｗとなるように点灯される。
【００５４】
このように、蛍光ランプ１１としての形名ＦＨＴ２４、ＦＨＴ３２、ＦＨＴ４２のコンパクト形蛍光ランプは、ランプ特性の異なる種類のものであるが、同一の非常用点灯回路３により高周波点灯される。そして、非常時に、非常用点灯回路３により、予め設定されたランプ電力、例えば１０Ｗの一定のランプ電力で点灯されるので、ランプ特性の異なる種類の蛍光ランプに関わらず、一定の光束が得られ、非常用の照明に用いることができる。
【００５５】
そして、商用交流電源Ｖｓが停電していなく、壁スイッチ８がオフされている状態のときは、蛍光ランプ１１は消灯している。このとき、記憶部１２には、壁スイッチ８がオフされる前に点灯していた蛍光ランプ１１のランプ電圧が記憶されている。ここで、商用交流電源Ｖｓが停電すると、上述したように、非常用点灯回路３は、記憶部１２に記憶されているランプ電圧に応じて蛍光ランプ１１を予め設定したランプ電力（例えば、１０Ｗ）で点灯させる。したがって、非常時（商用交流電源Ｖｓの停電時）に、蛍光ランプ１１は点灯され、例えば避難用の照明が確保される。
【００５６】
なお、ランプ特性検出回路６は、蛍光ランプ１１のランプ電力を検出するように構成され、記憶部１２はランプ電力を記憶するように形成されて、非常用点灯回路３は、予め設定したランプ電力で蛍光ランプ１１を点灯させるようにしてもよい。この場合であっても、上述と同様に、非常用点灯回路３によって点灯されているときの蛍光ランプ１１の光束は、ランプ特性の異なる種類の蛍光ランプであっても、一定の光束が得られる。
【００５７】
次に、本発明の第２の実施形態について述べる。
【００５８】
図２は、本発明の第２の実施形態を示す照明器具の一部切り欠き概略側面図である。なお、図１と同一部分には、同一符号を付して説明は省略する。
【００５９】
図２に示す照明器具１７は、例えば天井に埋設されるダウンライトであり、図１に示す放電ランプ用点灯回路２および非常用点灯回路３を配設している略長方体状の点灯ユニット１８、点灯ユニット１８および蛍光ランプ１１を配設している照明器具本体１９を有して構成されている。
【００６０】
照明器具本体１９は、ポリブチレンテレフタレート（ＰＢＴ）樹脂からなり、下部側１９ａに拡開し、内面１９ｂが鏡面を有する略筒状の反射鏡に形成され、下部側１９ａにフランジ部２０が形成され、一対の取付ばね２１，２１を取付けている。照明器具本体１９は、フランジ部２０と取付ばね２１，２１により天井面を挟持することにより、天井面に固定されている。
【００６１】
また、照明器具本体１９は、上部側１９ｃの内部に樹脂からなるソケット２２が配設され、上部側１９ｃの上面に金属例えば鉄板からなる天板２３が配設されている。
【００６２】
ソケット２２には、形名ＦＨＴ２４、ＦＨＴ３２、ＦＨＴ４２のコンパクト形蛍光ランプのいずれかが着脱される。そして、天板２３の下面に点灯ユニット１８が図示しないねじにより固定され、さらに端子台２４がねじ２５により固定されている。端子台２４には、商用交流電源Ｖｓに接続されている図示しない電源線が接続されている。
【００６３】
非常灯点灯装置１の放電ランプ用点灯回路２および非常用点灯回路３を１つの点灯ユニット１８に配設することにより、点灯ユニット１８を照明器具本体１９に設置するスペースが確保されやすくなり、ソケット２２や端子台２４との配線作業が行い易くなっている。
【００６４】
また、蛍光ランプ１１として、ランプ特性の異なる形名ＦＨＴ２４、ＦＨＴ３２、ＦＨＴ４２のコンパクト形蛍光ランプのいずれかを適宜ソケット２２に装着することにより、蛍光ランプ１１からランプ電力に応じた光束が放射されて、照明エリアが照明される。
【００６５】
そして、商用交流電源Ｖｓが停電した蛍光ランプ１１の非常点灯時に、蛍光ランプ１１は予め設定したランプ電力で点灯するので、ランプ特性の異なる種類の蛍光ランプ１１に関わらず、一定の明るさ（照度）で照明することのできる照明器具１７が提供される。
【図面の簡単な説明】
【００６６】
【図１】本発明の第１の実施形態を示す非常灯点灯装置の回路図。
【図２】本発明の第２の実施形態を示す照明器具の一部切り欠き概略側面図。
【符号の説明】
【００６７】
１…非常灯点灯装置
２…放電ランプ用点灯回路
３…非常用点灯回路
６…ランプ特性検出回路
１１…蛍光ランプ
１２…記憶部
１４…バッテリ
１７…照明器具
１９…照明器具本体
【図１】
2006092964.tif 000003
【図２】
2006092964.tif 000004